(57)【要約】【課題】モノクロ原稿またはカラー原稿と判定された原稿に対して、ユーザーのニーズに合わせてカラー複写とモノクロ複写とを切り替えることができる画像処理装置及び方法を提供すること。【解決手段】原稿を読み取り、画像データを取得する読み取り手段（３）と、この読み取り手段により得た画像データを基に、前記原稿がモノクロ原稿とカラー原稿のいずれであるかを判定する判定手段（１）と、この判定結果を出力する出力手段と、この出力手段で出力された判定結果を変更するための変更手段（２）と、を具備。【選択図】    図１
2004328444.tif 000002
【特許請求の範囲】
【請求項１】
原稿を読み取り、画像データを取得する読み取り手段と、
この読み取り手段により得た画像データを基に、前記原稿がモノクロ原稿とカラー原稿のいずれであるかを判定する判定手段と、
この判定結果を出力する出力手段と、
この出力手段で出力された判定結果を変更するための変更手段と、
を具備したことを特徴とする画像処理装置。
【請求項２】
前記読み取り手段は、複数の原稿を一括して処理することを特徴とする請求項１に記載の画像処理装置。
【請求項３】
前記出力手段と前記変更手段は同一の表示部からなることを特徴とする請求項１に記載の画像処理装置。
【請求項４】
前記出力手段はプリンタからなり、前記変更手段は表示部からなることを特徴とする請求項１に記載の画像処理装置。
【請求項５】
原稿を読み取り、画像データを取得し、
この画像データを基に、前記原稿がモノクロ原稿とカラー原稿のいずれであるかを判定し、
この判定結果を出力し、
この出力された判定結果を変更可能とすることを特徴とする画像処理方法。
【発明の詳細な説明】
【０００１】
【発明の属する技術分野】
本発明は、カラー複写機に適用される画像処理装置及び方法に関する。
【０００２】
【従来の技術】
特開２００１−２６８３７９号公報には、この種の画像処理装置が開示されている。この装置は、カラー原稿またはモノクロ原稿といった原稿の種類を自動判定するＡＣＳ（Ａｕｔｏｍａｔｉｃ  Ｃｏｌｏｒ  Ｓｅｌｅｃｔ）判定機能と、このＡＣＳ判定の条件を変更する機能を有している。また、原稿の種類を判定することなく、原稿に対してカラー複写とモノクロ複写のどちらかを指定して複写を行う複写機も知られている。
【０００３】
原稿の種類を自動判定する機能には、ＡＣＳ判定条件として１つの判定値を持ち、原稿をモノクロ原稿またはカラー原稿であると判定する手法がある。この判定値は、原稿の画像データ中のカラー画素の連続数、または任意の領域内のカラー画素数等からなる。また、ＡＣＳ判定条件として２つの判定値を持ち、原稿をモノクロ原稿、カラー原稿、及びそれらの中間原稿のいずれかであると判定する手法がある。
【０００４】
【発明が解決しようとする課題】
上記の技術においては、１つの判定値によりモノクロ原稿またはカラー原稿であると判定されると、その判定結果に従いモノクロまたはカラーで複写される。しかしこの場合、原稿にカラー部分が少ないときにモノクロ原稿と判定され、ユーザーの希望に沿わないモノクロで複写されてしまうことがある。
【０００５】
一方、２つの判定値によりモノクロ原稿、カラー原稿、及びそれらの中間原稿のいずれであるか判定する場合に、中間原稿と判定された原稿に対してのみ、モノクロとカラーのどちらで複写するかをユーザーが手動で指定できる手法が知られている。この場合、モノクロ原稿またはカラー原稿と判定された原稿に対しては、モノクロとカラーのどちらで複写するかをユーザーが指定することはできない。しかし、例えば下線や色文字のある原稿のように、カラー原稿と判定されたものの、ユーザーによってはモノクロ原稿として扱いモノクロで複写し、コピーコストを削減したいものもある。
【０００６】
上記のように従来例においては、モノクロ原稿またはカラー原稿と判定された原稿に対して、ユーザーのニーズに合わせてカラー複写とモノクロ複写とを切り替える仕組みが不十分であり、ユーザーの要望に沿えないことがあった。
【０００７】
本発明の目的は、モノクロ原稿またはカラー原稿と判定された原稿に対して、ユーザーのニーズに合わせてカラー複写とモノクロ複写とを切り替えることができる画像処理装置及び方法を提供することにある。
【０００８】
【課題を解決するための手段】
課題を解決し目的を達成するために、本発明の画像処理装置及び方法は以下の如く構成されている。
【０００９】
本発明の画像処理装置は、原稿を読み取り、画像データを取得する読み取り手段と、この読み取り手段により得た画像データを基に、前記原稿がモノクロ原稿とカラー原稿のいずれであるかを判定する判定手段と、この判定結果を出力する出力手段と、この出力手段で出力された判定結果を変更するための変更手段と、から構成されている。
【００１０】
本発明の画像処理方法は、原稿を読み取り、画像データを取得し、この画像データを基に、前記原稿がモノクロ原稿とカラー原稿のいずれであるかを判定し、この判定結果を出力し、この出力された判定結果を変更可能とする。
【００１１】
【発明の実施の形態】
以下、本発明の実施の形態を図面を参照して説明する。
【００１２】
（第１の実施の形態）
図１は、本発明の第１の実施の形態に係るカラー複写機に適用される画像処理装置の構成を示すブロック図である。当該カラー複写機は、複数枚の原稿を読み込んで複写処理を行う、電子ソート機能を有している。
【００１３】
図１において、制御部１にはコンパネ（コントロールパネル）２、スキャナ３、モノクロ／カラー画像処理部４、記憶部５、プリント用画像処理部６、およびプリンタ７が接続されている。スキャナ３はモノクロ／カラー画像処理部４を介して記憶部５に接続されている。記憶部５はプリント用画像処理部４を介してプリンタ７に接続されている。
【００１４】
制御部１はＣＰＵからなる。コンパネ２は、液晶タッチパネルからなる表示部２１と図示しない操作部を有している。モノクロ／カラー画像処理部４はＡＳＩＣからなる。スキャナ３はカラーＣＣＤからなる。またスキャナ３は原稿送り装置を備えており、複数の原稿を一括して処理できる。
【００１５】
図２は、上述した構成をなす画像処理装置の動作手順を示すフローチャートである。このフローチャートでは、読み込んだ各原稿の画像データに対してＡＣＳ判定処理を行い、カラー原稿と判定された原稿の判定結果を表示し変更可能とする。なお、この動作は制御部１の制御により行われる。
【００１６】
ステップＳ１で、スキャナ３はユーザーによりセットされた複数の原稿に対して順次プリスキャン（読み取り）を行い、得られた各画像データをモノクロ／カラー画像処理部４へ出力する。ステップＳ２で、モノクロ／カラー画像処理部４は、各画像データに対してＡＣＳ判定を行い、それらの判定結果を制御部１と記憶部５へ出力する。またモノクロ／カラー画像処理部４は、各画像データを記憶部５へ出力する。
【００１７】
ステップＳ３で、ＡＣＳ判定の結果がモノクロ原稿である場合、ステップＳ４で、制御部１はプリント用画像処理部６に対してその原稿の原稿タイプをモノクロに設定する。次にステップＳ５で、プリント用画像処理部６はその画像データに対してモノクロ複写用の画像処理を行う。
【００１８】
ステップＳ３で、ＡＣＳ判定の結果がカラー原稿である場合、ステップＳ６で、制御部１はコンパネ２の表示部２１に、その原稿の判定結果がカラー原稿である旨を後述するように表示する。ステップＳ７で、コンパネ２の表示部２１においてユーザーにより判定結果に対して変更が指示されると、制御部１でその判定結果がモノクロ原稿に変更される。そしてステップＳ４で、制御部１はプリント用画像処理部６に対してその原稿の原稿タイプをモノクロに設定する。次にステップＳ５で、プリント用画像処理部６はその画像データに対してモノクロ複写用の画像処理を行う。
【００１９】
ステップＳ７で、コンパネ２の表示部２１においてユーザーにより判定結果に対して変更が指示されない場合、その判定結果は変更されない。そしてステップＳ８で、プリント用画像処理部６はその原稿タイプをカラーに設定する。次にステップＳ９で、プリント用画像処理部６はその画像データに対してカラー複写用の画像処理を行う。
【００２０】
その後、プリント用画像処理部６から各画像データがプリンタ７へ出力され、プリンタ７により各原稿のモノクロ複写またはカラー複写が行われる。
【００２１】
図３および図４は、コンパネ２の表示部２１における表示例を示す図である。この表示は、上記ステップＳ６で行われる。図３の表示例では、プリスキャンされた例えば２０枚の原稿のリストを表示できる。
【００２２】
図３では、４枚の原稿についてＡＣＳ判定の結果が全て「ＣＯＬＯＲ」（カラー原稿）である旨が強調表示されている。他の原稿については、矢印キー３１に触れスクロール操作をすることで表示できる。このリスト中で判定結果をモノクロ原稿に変更したい原稿については、ユーザーが対応する「ＭＯＮＯ」（モノクロ原稿）表示に触れることで、その「ＭＯＮＯ」が強調表示され、隣りの「ＣＯＬＯＲ」が非強調表示となる。
【００２３】
このように、プリスキャンされた各原稿についてＡＣＳ判定の結果を表示し、カラー原稿と判定された原稿に対してユーザーが判定結果を変更することができる。
【００２４】
図４の表示例では、プリスキャンされた例えば２０枚の原稿の情報を表示できる。図４では、１枚の原稿についてＡＣＳ判定の結果が「ＣＯＬＯＲ」（カラー原稿）である旨が強調表示されている。他の原稿についてはユーザーが「ＰＲＥ」キー４１または「ＮＥＸＴ」キー４２に触れ操作することで順次表示できる。この表示中で判定結果をモノクロ原稿に変更したい原稿については、ユーザーが「ＭＯＮＯ」（モノクロ原稿）に触れることで、その「ＭＯＮＯ」が強調表示され、隣りの「ＣＯＬＯＲ」が非強調表示となる。また図４では、上記１枚の原稿についてプレビュー表示されるため、原稿中のカラー部分とモノクロ部分を確認することができる。
【００２５】
このように、プリスキャンされた各原稿についてプレビューを表示することで、ユーザーはその原稿についてカラー複写すべきかモノクロ複写すべきか、的確に判断することができる。
【００２６】
上記フローチャートでは、表示部２１に表示し変更可能とする対象をカラー原稿と判定された原稿のみとしているが、設定により、全ての原稿またはモノクロ原稿と判定された原稿のみを表示することもできる。このように、表示・変更対象をコントロールパネルからの設定で切換えることも可能である。
【００２７】
スキャナ３における画像読み込み用のＣＣＤがＲＧＢのみに対応している場合、ＡＣＳ判定の結果に対してユーザーにより確認・変更が行われた後、各原稿の種類に対応した画像処理を行い、複写動作を行う。なお、プリンタ７でプリントアウトする代わりに、画像データを外部、例えばパソコンへ出力することもできる。
【００２８】
スキャナ３における画像読み込み用のＣＣＤがモノクロ用のＣＣＤセンサを持つ４ラインＣＣＤの場合、まず原稿読み取り動作を行いＡＣＳ判定を行うことにより各原稿の種類が判定される。そして、原稿読み取り動作を再度行う。この際、前回のＡＣＳ判定を基に、原稿ごとにＣＣＤセンサをカラー用またはモノクロ用に切り替え、各原稿を読み込む。
【００２９】
これにより、モノクロ画像データをＲＧＢデータから作るといった動作を通さず、画質劣化のない画像処理が可能となる。また、複写動作を行う場合や画像データを外部へ出力する場合においても、ＡＣＳ判定結果を使うことで、その複写機において最適な処理を施すことが可能となる。もちろん、上記の４ラインＣＣＤを用いた場合に、ＲＧＢセンサを使用してモノクロ原稿を読み取ることも可能である。
【００３０】
（第２の実施の形態）
第２の実施の形態の画像処理装置の構成は図１と同一である。
【００３１】
図５および図６は、第２の実施の形態の画像処理装置の動作手順を示すフローチャートである。これらのフローチャートでは、ＡＣＳ判定の結果を紙面上に印刷（ページ番号の付加機能あり）した後、ユーザーによる判定結果の変更指示をコントロールパネルから受け付ける。なお、この動作は制御部１の制御により行われる。
【００３２】
図５のステップＳ１１で、スキャナ３は原稿に対してプリスキャン（読み取り）を行い、その画像データをモノクロ／カラー画像処理部４へ出力する。ステップＳ１２で、モノクロ／カラー画像処理部４は、画像データに対してＡＣＳ判定を行い、その判定結果を制御部１と記憶部５へ出力する。またモノクロ／カラー画像処理部４は、画像データを記憶部５へ出力する。
【００３３】
ステップＳ１３で、ＡＣＳ判定の結果がモノクロ原稿である場合、ステップＳ１４で、制御部１はプリント用画像処理部６の画像データに対して、モノクロ原稿と判定された旨を示す情報とその原稿のページ番号を付加する。またステップＳ１３で、ＡＣＳ判定の結果がカラー原稿である場合、ステップＳ１５で、制御部１はプリント用画像処理部６の画像データに対して、カラー原稿と判定された旨を示す情報とその原稿のページ番号を付加する。
【００３４】
次にステップＳ１６で、プリント用画像処理部６は画像データと判定情報（モノクロ原稿またはカラー原稿）およびページ番号から、プレビュー画像データを作成し、プリンタ７へ出力する。ステップＳ１７で、プリンタ７から各原稿のプレビュー画像からなる印刷物が出力される。
【００３５】
図７は、プリンタ７から出力される印刷物の例を示す図である。図７では、各原稿のプレビューがモノクロまたはカラーで印刷されているとともに、各原稿がモノクロ原稿とカラー原稿のいずれであるかが印字され、さらに各原稿のページ番号が印字されている。
【００３６】
次に、図６のステップＳ２１で、制御部１はコンパネ２の表示部２１に、各原稿の判定結果がカラー原稿またはモノクロ原稿である旨を、図３，図４で示したように表示する。そしてステップＳ２２で、コンパネ２の表示部２１において、ユーザーにより判定結果に対して変更が指示されると、制御部１で判定結果が適宜変更される。そしてステップＳ２３で、プリント用画像処理部６は、制御部１からの判定結果の情報を基に各画像データに対してモノクロ複写用またはカラー複写用の画像処理を行い、それらの画像データをプリンタ７へ出力する。ステップＳ２４で、プリンタ７により各原稿のモノクロ複写またはカラー複写が行われる。
【００３７】
このように、ＡＣＳ判定の結果をプリントアウトすることで、ユーザーは各原稿のプレビューとページ番号が付加された印刷物を見ながら、コントロールパネルから容易に判定結果の変更を行うことができる。
【００３８】
上記各実施の形態の画像処理装置は、複数枚の原稿を一度に読み込んで複写動作を行う電子ソート機能を有する複写機、あるいは画像データを取り込み外部に出力する手段を有する複合機に適用できる。そして、ＡＣＳ判定の結果をそのまま出力画像に適用する方法に対して、ＡＣＳ判定結果を変更するプロセスを取り入れることで、ユーザーにとって利便性の高い複写機等の提供が可能となる。また、原稿ごとの画像処理方法をその装置においてそれぞれ最適な方法に切り替えることで、出力物の品質を向上することが可能となる。
【００３９】
なお、本発明は上記各実施の形態のみに限定されず、要旨を変更しない範囲で適宜変形して実施できる。
【００４０】
【発明の効果】
本発明によれば、モノクロ原稿またはカラー原稿と判定された原稿に対して、ユーザーのニーズに合わせてカラー複写とモノクロ複写とを切り替えることができる画像処理装置及び方法を提供できる。
【図面の簡単な説明】
【図１】本発明の第１の実施の形態に係るカラー複写機に適用される画像処理装置の構成を示すブロック図。
【図２】本発明の第１の実施の形態に係る画像処理装置の動作手順を示すフローチャート。
【図３】本発明の第１の実施の形態に係るコンパネの表示部における表示例を示す図。
【図４】本発明の第１の実施の形態に係るコンパネの表示部における表示例を示す図。
【図５】本発明の第２の実施の形態に係る画像処理装置の動作手順を示すフローチャート。
【図６】本発明の第２の実施の形態に係る画像処理装置の動作手順を示すフローチャート。
【図７】本発明の第２の実施の形態に係るプリンタから出力される印刷物の例を示す図。
【符号の説明】
１…制御部  ２…コンパネ  ２１…表示部  ３…スキャナ  ４…モノクロ／カラー画像処理部  ５…記憶部  ６…プリント用画像処理部  ７…プリンタ  ３１…矢印キー  ４１…「ＰＲＥ」キー  ４２…「ＮＥＸＴ」キー
【図１】
2004328444.tif 000003
【図２】
2004328444.tif 000004
【図３】
2004328444.tif 000005
【図４】
2004328444.tif 000006
【図５】
2004328444.tif 000007
【図６】
2004328444.tif 000008
【図７】
2004328444.tif 000009